(57)【要約】【課題】  キャビネット、カウンター台、テーブル等の家具において、人が立位姿勢で家具のエッジ部に肘若しくは前腕を押し当てても圧迫感のない天板装置を提供する。【解決手段】  キャビネット、カウンター台、テーブル等の家具の下部構造体（本体部２）の上端支持面（上面板７）に、軟弾性を備えたソフトエッジ部材５と天板６とを取付けてなる天板装置３であって、上端支持面の上面の前縁及び後縁のうち少なくとも一方に、ソフトエッジ部材を取付けるとともに、その他の部位に天板を取付け、ソフトエッジ部材は天板の上面よりも上方へ突出設定している。ソフトエッジ部材は、人が立位姿勢で肘若しくは前腕を押し当てても天板の上面より下方へは凹まない軟弾性特性を備えている。また、ソフトエッジ部材は下部構造体よりも前後方向へ突出設定した。【選択図】        図３
2015213588.tif 000002
【特許請求の範囲】
【請求項１】
キャビネット、カウンター台、テーブル等の家具の下部構造体の上端支持面に、軟弾性を備えたソフトエッジ部材と天板とを取付けてなる天板装置であって、前記上端支持面の上面の前縁及び後縁のうち少なくとも一方に、ソフトエッジ部材を取付けるとともに、その他の部位に天板を取付け、前記ソフトエッジ部材は前記天板の上面よりも上方へ突出設定していることを特徴とする家具の天板装置。
【請求項２】
前記ソフトエッジ部材は、人が立位姿勢で肘若しくは前腕を押し当てても前記天板の上面より下方へは凹まない軟弾性特性を備えてなる請求項１記載の家具の天板装置。
【請求項３】
前記ソフトエッジ部材は前記下部構造体よりも前後方向へ突出設定してなる請求項１又は２記載の家具の天板装置。
【請求項４】
前記ソフトエッジ部材は、厚さが前記天板よりも薄い芯板の上面と外側端面とにわたりクッション体を添設するとともに、外周をシート状の表皮材で覆った構造であり、前記芯板の下面側にはネジ止めするためのナットを埋設してなる請求項１〜３何れか１項に記載の家具の天板装置。
【請求項５】
前記ソフトエッジ部材と天板を、取付板を介して前記上端支持面の上面に取付けてなる請求項１〜４何れか１項に記載の家具の天板装置。
【請求項６】
前記ソフトエッジ部材を前記取付板の上面の前縁又は前縁と後縁に取付けた状態で、前記取付板と天板を前記上端支持面に積層し、該上端支持面の下方から前記取付板を貫通させたネジを前記天板の下面側に設けた螺孔に螺合して取付けてなる請求項５記載の家具の天板装置。
【発明の詳細な説明】
【技術分野】
【０００１】
本発明は、家具の天板装置に係わり、更に詳しくはキャビネット、カウンター台、テーブル等の家具におけるソフトエッジを備えた天板装置に関するものである。
【背景技術】
【０００２】
従来から、テーブルや机の天板の周囲にエッジ部材を設けた構造は周知であり、エッジ部材を天板本体よりも軟質にすることも常套手段である。
【０００３】
例えば、特許文献１には、机等の金属製の天板の端面に、断面形状が丸みを帯びた三角形状の軟質エッジ部材を設けた構造が開示され、エッジ部材は天板の端面に軟質合成樹脂製の内部縁材を取付けるととともに、該内部縁材に軟質合成樹脂製の外部縁材を被せた構造であり、エッジ部材の上端は天板の上面と面一になっているものである。
【０００４】
また、特許文献２には、テーブル等の天板の側端面に取付けられるエッジ部材について、天板の側端面に添設するエッジ部材本体と、該エッジ部材本体の下方に、天板の下面より低い位置に垂下させた内部に弾力性を調節するための中空部を設けた緩衝部とを、軟質材若しくは硬質材を用いて一体に形成した構造が開示されている。この場合も、エッジ部材の上端は天板上面と面一である。
【０００５】
更に、特許文献３には、キッチンで使用するワゴンにおいて、ワゴンキャビネットの上位に昇降可能に設けたワゴン天板の外周部に、断面が半円状のソフトエッジを設けた構造が開示されている。この場合、ソフトエッジはワゴン天板の上面よりも低い位置に設定されている。
【先行技術文献】
【特許文献】
【０００６】
【特許文献１】実公平６−６７４９号公報
【特許文献２】特許第２９２１４０１号公報
【特許文献３】特許第３０５５０５３号公報
【発明の概要】
【発明が解決しようとする課題】
【０００７】
しかしながら、従来は、テーブルや机、あるいはワゴンといった通常上面を使用することを前提とした天板にあっては、該天板の周囲に、該天板の上面より上方へ突出しないようにエッジ部材を設けることが技術常識であった。一方、定置置きのキャビネット等の家具では、その天板の外周部にエッジ部材を設けたものは全く提供されてなかった。
【０００８】
そこで、本発明が前述の状況に鑑み、解決しようとするところは、キャビネット、カウンター台、テーブル等の家具において、人が立位姿勢で家具のエッジ部に肘若しくは前腕を押し当てても圧迫感のない天板装置を提供する点にある。
【課題を解決するための手段】
【０００９】
本発明は、前述の課題解決のために、キャビネット、カウンター台、テーブル等の家具の下部構造体の上端支持面に、軟弾性を備えたソフトエッジ部材と天板とを取付けてなる天板装置であって、前記上端支持面の上面の前縁及び後縁のうち少なくとも一方に、ソフトエッジ部材を取付けるとともに、その他の部位に天板を取付け、前記ソフトエッジ部材は前記天板の上面よりも上方へ突出設定していることを特徴とする家具の天板装置を構成した（請求項）。
【００１０】
ここで、前記ソフトエッジ部材は、人が立位姿勢で肘若しくは前腕を押し当てても前記天板の上面より下方へは凹まない軟弾性特性を備えてなることがより好ましい（請求項２）。
【００１１】
また、前記ソフトエッジ部材は前記下部構造体よりも前後方向へ突出設定してなることも好ましい（請求項３）。
【００１２】
また、前記ソフトエッジ部材は、厚さが前記天板よりも薄い芯板の上面と外側端面とにわたりクッション体を添設するとともに、外周をシート状の表皮材で覆った構造であり、前記芯板の下面側にはネジ止めするためのナットを埋設してなるものである（請求項４）。
【００１３】
また、前記ソフトエッジ部材と天板を、取付板を介して前記上端支持面の上面に取付けてなることがより好ましい（請求項５）。
【００１４】
そして、前記ソフトエッジ部材を前記取付板の上面の前縁又は前縁と後縁に取付けた状態で、前記取付板と天板を前記上端支持面に積層し、該上端支持面の下方から前記取付板を貫通させたネジを前記天板の下面側に設けた螺孔に螺合して取付けてなることが好ましい（請求項６）。
【発明の効果】
【００１５】
以上にしてなる請求項１に係る発明の家具の天板装置は、キャビネット、カウンター台、テーブル等の家具の下部構造体の上端支持面に、軟弾性を備えたソフトエッジ部材と天板とを取付けてなる天板装置であって、前記上端支持面の上面の前縁及び後縁のうち少なくとも一方に、ソフトエッジ部材を取付けるとともに、その他の部位に天板を取付け、前記ソフトエッジ部材は前記天板の上面よりも上方へ突出設定しているので、人が立位姿勢でソフトエッジ部材に肘若しくは前腕を押し当てても圧迫感が無く、その姿勢のまま天板上で作業をしたり、立ち話をすることができる。また、キャビネットでは、本体部から取り出した書類やファイルを天板上で見たり、メモを取ったりする作業を苦痛無く行える。更に、キャビネットを複数列設して壁面収納や通路の仕切りとした場合、ソフトエッジ部材を本体部及び天板と異なる色に設定することにより、デザイン上のアクセントになる。
【００１６】
請求項２によれば、前記ソフトエッジ部材は、人が立位姿勢で肘若しくは前腕を押し当てても前記天板の上面より下方へは凹まない軟弾性特性を備えてなるので、前記天板のエッジに直接肘若しくは前腕が当たることがないのである。
【００１７】
請求項３によれば、前記ソフトエッジ部材は前記下部構造体よりも前後方向へ突出設定してなるので、肘や前腕だけでなく腰部、腹部、臀部、背部等の身体の一部をソフトエッジ部材に当てた状態で凭れ掛かっても痛みを与えないのである。
【００１８】
請求項４によれば、前記ソフトエッジ部材は、厚さが前記天板よりも薄い芯板の上面と外側端面とにわたりクッション体を添設するとともに、外周をシート状の表皮材で覆った構造であり、前記芯板の下面側にはネジ止めするためのナットを埋設してなるので、ソフトエッジ部材の構造が簡単になり、コストの上昇を最小限に抑制でき、また取付施工性にも優れている。
【００１９】
請求項５によれば、前記ソフトエッジ部材と天板を、取付板を介して前記上端支持面の上面に取付けてなるので、家具の下部構造体に対する取付施工性に優れ、また取付板にネジ止めすれば取付強度が高く、しかも下部構造体として既製のものをそのまま用いたり、既製のものに対する設計変更を最小限に抑制することができる。
【００２０】
請求項６によれば、前記ソフトエッジ部材を前記取付板の上面の前縁又は前縁と後縁に取付けた状態で、前記取付板と天板を前記上端支持面に積層し、該上端支持面の下方から前記取付板を貫通させたネジを前記天板の下面側に設けた螺孔に螺合して取付けてなるので、天板とソフトエッジ部材の取付施工性に優れ、また通常は下部構造体の上端支持面を家具の本体部の上面板として使用し、オプションとして天板とソフトエッジ部材を付加することも可能になる。尚、家具がキャビネットである場合には、上下に積層する際の連結用に、本体部の上面板には半パンチ穴を設けているため、前記天板とソフトエッジ部材を取付板を介して取付ける場合にこの半パンチ穴を利用することができる。
【図面の簡単な説明】
【００２１】
【図１】キャビネットの上端前縁にソフトエッジ部材を設けた第１実施形態を示す全体斜視図である。
【図２】同じく天板装置の分解斜視図である。
【図３】天板装置の要部の拡大縦断面図である。
【図４】キャビネット上部の拡大側面図である。
【図５】複数の第１実施形態のキャビネットを側方へ列設した使用例を示す斜視図である。
【図６】キャビネットの上端前縁と後縁にソフトエッジ部材を設けた第２実施形態を示す全体斜視図である。
【図７】同じく天板装置の分解斜視図である。
【図８】複数の第２実施形態のキャビネットを側方へ列設した使用例を示す斜視図である。
【発明を実施するための形態】
【００２２】
次に、添付図面に示した実施形態に基づき、本発明を更に詳細に説明する。図１は本発明の第１実施形態のキャビネットを示し、図２は要部の分解斜視図、図３は組み立て状態の要部の拡大縦断面、図４は要部の拡大側面図を示し、図中符号１はキャビネット、２は本体部、３は天板装置、４は取付板、５はソフトエッジ部材、６は天板をそれぞれ示している。
【００２３】
本発明における家具としては、キャビネット、カウンター台、テーブル等が挙げられるが、最も好ましい実施形態は高さが１０００〜１２００ｍｍ程度のキャビネットに適用する場合であるが、その他の天板を備えた家具に広く適用できる。本発明の家具の天板装置３は、家具の下部構造体の上端支持面に、取付板４を介して軟弾性を備えたソフトエッジ部材５と天板６とを取付けたものである。家具をキャビネットとし、図１〜図５に基づき第１実施形態を説明し、図６〜図８に基づき第２実施形態を説明する。この場合、家具の「下部構造体」はキャビネット１の本体部２であり、「上端支持面」は本体部２の上面板７である。尚、第１実施形態は、キャビネット１の上端前縁のみにソフトエッジ部材５を設け、第２実施形態は、キャビネット１の上端前縁と後縁とにそれぞれソフトエッジ部材５，５を設けたものであるので、基本構成は共通する。また、第１実施形態の変形例として、キャビネット１の上端後縁のみにソフトエッジ部材５を設けてもよい。
【００２４】
第１実施形態の天板装置３は、図１及び図２に示すように、前記取付板４の上面の前縁に、ソフトエッジ部材５を取付けるとともに、その他の部位に天板６を取付け、前記ソフトエッジ部材５は前記天板６の上面よりも上方へ突出設定していることを特徴とする。ここで、スチール製のキャビネット１の本体部２の上面板７には、四隅の近傍に半パンチ穴が予め設けられており、本実施形態ではこれを開放して通孔８，…を形成している。そして、前述の天板装置３をキャビネット本体部２の上面に取付けるに当り、一切の追加加工は不要である。
【００２５】
前記取付板４は、本実施形態では前記本体部２の上面板７と同形かやや小さなスチール板で構成し、軽量化のために前記通孔８，…に対応しない中央部分に開口９を形成するとともに、前記ソフトエッジ部材５を取付ける側の左右両端縁に僅かな切欠部１０，１０を設けるとともに、前縁に沿った３箇所に貫通孔１１，…を形成し、更に前記通孔８，…に対応する位置に貫通孔１２，…を形成したものである。ここで、前記取付板４の貫通孔１１，…の裏面側は皿もみを形成する。
【００２６】
前記ソフトエッジ部材５は、厚さが前記天板６よりも薄い芯板１３の上面と外側端面とにわたりクッション体１４を添設するとともに、外周をシート状の表皮材１５で覆った構造であり、前記芯板１３の下面側には前記取付板４にネジ止めするためのナット１６，…を埋設したものである。このソフトエッジ部材５上下寸法は、前記天板６の厚さよりも大きく設定している。
【００２７】
前記天板６は、本実施形態では木質系の集成材又は無垢材を用いているが、スチールやその他の材質で構成したものでも良く、下面側に前記通孔８，…と対応する位置にナット１７，…を埋設している。尚、天板６がスチール製の場合には、ナットを溶接して固定したり、板材に直接タップを切って螺孔を形成しても良い。
【００２８】
そして、図２及び図３に示すように、前記ソフトエッジ部材５を前記取付板４の上面の前縁に載せて、下方から皿ネジ１８，…を前記取付板４の貫通孔１１，…に挿通し、芯板１３に埋設したナット１６，…に螺合して取付けた状態で、前記取付板４と天板６を前記キャビネット本体部２の上面板７に積層し、該上面板７の下方から前記通孔８，…と前記取付板４の貫通孔１２，…に貫通させたネジ１９，…を前記天板６の下面側に設けたナット１７，…螺合して取付ける。前記ソフトエッジ部材５の両端部は、前記取付板４の切欠部１０，１０に凹凸嵌合する構造になっており、前記取付板４の縁部を前記ソフトエッジ部材５で完全に隠蔽している。
【００２９】
図４に示すように、前記取付板４の前部は前記ソフトエッジ部材５で隠れており、また前記ソフトエッジ部材５の両端部は前記天板６の側端面と本体部２の側面と面一となっており、複数のキャビネット１を側方へ列設する際に隅間無く連続するようになっている。
【００３０】
図３の取付状態において、前記ソフトエッジ部材５は、人が立位姿勢で肘若しくは前腕を押し当てても前記天板６の上面より下方へは凹まない軟弾性特性を備えている。前記クッション体１４は、厚さ５ｍｍのゴムスポンジで作製し、表皮材１５は厚さ１ｍｍのゴムシートで作製している。本実施形態では、前記ソフトエッジ部材５を天板６の上面よりも上方に２〜３ｍｍ程度突出させている。尚、前記ソフトエッジ部材５は、肘等で強く押し当てた時、前記天板６の上面と同じ高さになることが理想的であり、前記クッション体１４の材質や厚みに応じて、初期の上方への突出高さを最適な状態となるように調節する。更に、前記ソフトエッジ部材５は、キャビネット１の引出し前板２０の前面よりも前方へ若干突出させ、身体の一部をソフトエッジ部材５に当てて凭れ掛かったときにも痛みを感じさせないようにしている。
【００３１】
図５は、前記キャビネット１を側方へ複数列設した使用例を示し、各キャビネット１に設けたソフトエッジ部材５，…が一列に並んだ状態になる。ここで、前記ソフトエッジ部材５をキャビネット本体部２及び天板６と異なる色に設定することにより、複数のキャビネット１，…を列設した際にソフトエッジ部材５がデザイン上のアクセントになる。
【００３２】
次に、図６〜図８に基づいて本発明の第２実施形態を簡単に説明する。基本的な構造は前述の実施形態と同様であるので、同一構成には同一符号を付してその説明は省略する。本実施形態では、キャビネット１の上端前縁と後縁に前記ソフトエッジ部材５，５を設けたものであり、島置きして通路と区画する用途に適したものである。
【００３３】
第２実施形態の天板装置３は、前記取付板４の上面の前縁と後縁に、ソフトエッジ部材５，５を取付けるとともに、その他の部位に天板６を取付け、前記ソフトエッジ部材５は前記天板６の上面よりも上方へ突出設定していることを特徴とする。つまり、前記取付板４は、本実施形態では前記ソフトエッジ部材５を取付ける前後縁側の左右両端縁にそれぞれ前記同様の切欠部１０，１０を設けるとともに、前縁に沿った３箇所と後縁に沿った３箇所に貫通孔１１，…を形成している。そして、前記同様のソフトエッジ部材５を二つ用い、天板６の前後寸法は前述のものよりも狭いものを用いる。そして、前記同様に、前記ソフトエッジ部材５，５と天板６を取付板４を介してキャビネット１の本体部２の上面板７に取付ける。
【００３４】
図８は、第２実施形態のキャビネット１を側方へ複数列設した使用例を示し、本実施形態では前後両側から使用することができ、キャビネット１を島置きしてカウンターとして利用するのに適している。
【００３５】
尚、前述の実施形態に限らず、前記ソフトエッジ部材５が単一のゴム質又はゲル状の素材からなるものでもよい。この際も肘等で押し当てた時の凹み量が天板６の上面と面一以下にならないように設定する。更に、前記取付板４を介することなくソフトエッジ部材５と天板６とをそれぞれ本体部（下部構造体）２に直接固定してもよく、あるいは本体部２に直接取付けることができる構造の天板６の端部にソフトエッジ部材５を連結してもよい。また、本発明の天板装置３をキャビネット以外に適用する際もソフトエッジ部材５が天板６の上面よりも上方へ突出設定していればよく、この場合もソフトエッジ部材５が下部構造体の前面よりも前方へ突出形成していれば更によい。特に、テーブルに適用する場合には、脚部が前記下部構造体となる。
【符号の説明】
【００３６】
１  キャビネット（家具）、
２  本体部（下部構造体）、
３  天板装置、
４  取付板、
５  ソフトエッジ部材、
６  天板、
７  上面板（上端支持面）、
８  通孔、
９  開口、
１０  切欠部、
１１  貫通孔、
１２  貫通孔、
１３  芯板、
１４  クッション体、
１５  表皮材、
１６  ナット、
１７  ナット、
１８  皿ネジ、
１９  ネジ、
２０  引出し前板。
【図１】
2015213588.tif 000003
【図２】
2015213588.tif 000004
【図３】
2015213588.tif 000005
【図４】
2015213588.tif 000006
【図５】
2015213588.tif 000007
【図６】
2015213588.tif 000008
【図７】
2015213588.tif 000009
【図８】
2015213588.tif 000010